(57)【要約】      （修正有）【課題】十分に薬の自動投与や飲み間違い防止などを達し得るインテリジェント薬箱を提供する。【解決手段】インテリジェント薬箱１００は、底蓋１と、底蓋１に設けられる薬取り箱２と、薬入れ口３１が設けられる中蓋３と、中蓋３の薬入れ口３１を開閉する薬入れ口制御モジュール４と、薬をそれぞれ収容する複数の薬物収容コンパートメント５１を有する薬盤５と、薬盤５を回転可能な薬盤制御モジュール６と、底蓋１に設けられると共に中蓋３及び薬盤５を覆うカバー７と、中蓋３に設けられるプリント回路板８と、プリント回路板８に設けられ、薬入れ口制御モジュール４及び薬盤制御モジュール６と電気的に接続され、薬入れ口制御モジュール４及び薬盤制御モジュール６とを制御可能な管理系統９と、を備えている。これにより、十分に薬の自動投与や飲み間違い防止等の目的を達成し得る。【選択図】図２
0003211769.tif 000002
【実用新案登録請求の範囲】
【請求項１】
インテリジェント薬箱であって、
上方に薬取り箱組立て部が設けられた底蓋と、
前記薬取り箱組立て部に引き出し自在に収容された薬取り箱と、
前記薬取り箱に対応して形成された薬入れ口を備え、前記底蓋上に設けられた中蓋と、
前記中蓋の薬入れ口を開閉する薬入れ口制御モジュールと、
薬をそれぞれ収容可能な複数の薬物収容コンパートメントを備え、前記中蓋に対して相対回転することにより前記薬物収容コンパートメントを前記中蓋の薬入れ口に位置合わせ可能な薬盤と、
前記薬盤を回転させる薬盤制御モジュールと、
前記中蓋及び薬盤を覆った状態で前記底蓋に取り付けられたカバーと、
前記中蓋に設けられたプリント回路板と、
前記プリント回路板に設けられ、前記薬入れ口制御モジュール及び薬盤制御モジュールに電気的に接続されて前記薬入れ口制御モジュール及び薬盤制御モジュールを制御する管理系統と、
を備えていることを特徴とするインテリジェント薬箱。
【請求項２】
前記薬取り箱の底部には、凹部が設けられ、
前記底蓋の薬取り箱組立て部には、前記薬取り箱が前記薬取り箱組立て部内の所定位置に収容された状態で、前記薬取り箱の凹部に係合する弾性凸状バックル部が設けられていることを特徴とする請求項１記載のインテリジェント薬箱。
【請求項３】
前記薬入れ口制御モジュールは、
前記中蓋の薬入れ口を開閉する蓋開け板と、
前記蓋開け板の側辺に設けられ、前端を前記中蓋に回転可能に支持されると共に後端にモータ用挿入口が形成された位置決め軸と、
前記モータ用挿入口に挿通されて前記蓋開け板を回転させるモータ軸を有する蓋開けモータと、
前記蓋開けモータを前記中蓋に位置決めする蓋開けモータブラケットと、
を備えていることを特徴とする請求項１記載のインテリジェント薬箱。
【請求項４】
前記薬盤の底部の中心には、モータ支持柱が設けられ、
前記薬盤制御モジュールは、モータ軸を有して前記中蓋に設けられるステッピングモータを備え、
前記モータ軸は、
前記中蓋の頂部に突出した突出部と、
前記突出部に横方向に挿置されると共に前記モータ支持柱に係合されて、前記ステッピングモータで前記薬盤を回転させる駆動軸と、
を備えていることを特徴とする請求項１記載のインテリジェント薬箱。
【請求項５】
前記カバーの前部には、第１の係止部が設けられ、
前記底蓋の前部には、前記第１の係止部と係合可能な第２の係止部が設けられ、
前記カバーの後部には、第３の係止部が設けられ、
前記底蓋の後部には、前記第３の係止部と係合可能な弾性係止片が設けられていることを特徴とする請求項１記載のインテリジェント薬箱。
【請求項６】
前記カバーの後部には、留め部が設けられ、
前記底蓋の後部には、機械錠前を設置するための機械錠前組立て部が設けられ、
前記機械錠前は、該機械錠前に対応する鍵で伸縮制御される舌部を有し、
前記舌部が伸びた場合には、前記舌部が前記留め部にロックすることを特徴とする請求項５記載のインテリジェント薬箱。
【請求項７】
前記管理系統は、中央処理制御系統及び、該中央処理制御系統に電気的に接続される電源管理系統と、曜日時間系統と、制御オペレーティング・システムと、原音録音系統と、標準音声系統と、オーディオ拡声出力系統と、ソフトウエア設置系統と、情報提示系統と、薬物管理系統のうち1つ又は2つ以上を含むことを特徴とする請求項１記載のインテリジェント薬箱。
【考案の詳細な説明】
【技術分野】
【０００１】
本考案はインテリジェント薬箱に関し、特に複数の系統が互いに配合したり、部品と配合したりすることで、十分に薬の自動投与や飲み間違い防止などの目的を達し得るインテリジェント薬箱に係わるものである。
【背景技術】
【０００２】
薬箱は、使用のニーズに応じて事前に薬物を分けて包装できるプロダクトであり、高齢者、子供又は記憶力が低下した患者等に適している。
【０００３】
今までに市販された薬箱は以下の３つの種類に大別される。（１）格子状に構成されて、各種の薬物を分けて包装するもので、蓋体が設けられて且つその蓋体に薬を飲む時間を示す文字や図案を有する。（２）上述した格子状に構成された薬箱に電子アラームが外付けられており、アラームによって薬を飲む時間が知らされる。（３）ネット情報を利用して時間を設定したり、薬を飲む時間を記録したりする。
【考案の概要】
【考案が解決しようとする課題】
【０００４】
しかしながら、上述した３種類の薬箱には、以下のような欠点がある。（１）構成が簡単で且つ蓋体上の文字や図案は単に時間を示すだけであり、好ましい効果が得られない。（２）電子アラームのみで提示する薬箱は、改善する余地が大きい。（３）ネット情報を介して時間を管理する薬箱は、コストが比較的高い。
【０００５】
そのほか、上述した３種類の薬箱は、何れも格子状に構成されての薬物を分けて放置するものであり、自動投与機能を有せず、手動で操作しなければならないので、薬を取り出すのに不便である。また、薬の飲み間違い防止の効果も欠けているので、患者の飲み間違いが多発している。さらに、薬箱の構成が簡単すぎるため、殆ど薬飲みモードしか実現できず、マーチモードの管理が実現できない。
【０００６】
考案人は以上の事情に鑑み、熟考を重ねて積極的に研究を行った。また、多年の関連したプロダクトの研究経験を持ちながら絶えず試作改良した結果、遂に本考案に至った。
【０００７】
本考案は、十分に薬の自動投与や飲み間違い防止などを達し得るインテリジェント薬箱を提供するのを目的とする。
【課題を解決するための手段】
【０００８】
本考案は上記目的を達成するために提案されたものであり、インテリジェント薬箱であって、上方に薬取り箱組立て部が設けられた底蓋と、前記薬取り箱組立て部に引き出し自在に収容された薬取り箱と、前記薬取り箱に対応して形成された薬入れ口を備え、前記底蓋上に設けられた中蓋と、前記中蓋の薬入れ口を開閉する薬入れ口制御モジュールと、薬をそれぞれ収容可能な複数の薬物収容コンパートメントを備え、前記中蓋に対して相対回転することにより前記薬物収容コンパートメントを前記中蓋の薬入れ口に位置合わせ可能な薬盤と、前記薬盤を回転させる薬盤制御モジュールと、前記中蓋及び薬盤を覆った状態で前記底蓋に取り付けられたカバーと、前記中蓋に設けられたプリント回路板と、前記プリント回路板に設けられ、前記薬入れ口制御モジュール及び薬盤制御モジュールに電気的に接続されて前記薬入れ口制御モジュール及び薬盤制御モジュールを制御する管理系統と、を備えているインテリジェント薬箱を提供する。
【０００９】
好ましくは、前記薬取り箱の底部には、凹部が設けられ、前記底蓋の薬取り箱組立て部には、前記薬取り箱が前記薬取り箱組立て部内の所定位置に収容された状態で、前記薬取り箱の凹部に係合する弾性凸状バックル部が設けられている。
【００１０】
好ましくは、前記薬入れ口制御モジュールは、前記中蓋の薬入れ口を開閉する蓋開け板と、前記蓋開け板の側辺に設けられ、前端を前記中蓋に回転可能に支持されると共に後端にモータ用挿入口が形成された位置決め軸と、前記モータ用挿入口に挿通されて前記蓋開け板を回転させるモータ軸を有する蓋開けモータと、前記蓋開けモータを前記中蓋に位置決めする蓋開けモータブラケットと、を備えている。
【００１１】
好ましくは、前記薬盤の底部の中心には、モータ支持柱が設けられ、前記薬盤制御モジュールは、モータ軸を有して前記中蓋に設けられるステッピングモータを備え、前記モータ軸は、前記中蓋の頂部に突出した突出部と、前記突出部に横方向に挿置されると共に前記モータ支持柱に係合されて、前記ステッピングモータで前記薬盤を回転させる駆動軸と、を備えている。
【００１２】
好ましくは、前記カバーの前部には、第１の係止部が設けられ、前記底蓋の前部には、前記第１の係止部と係合可能な第２の係止部が設けられ、前記カバーの後部には、第３の係止部が設けられ、前記底蓋の後部には、前記第３の係止部と係合可能な弾性係止片が設けられている。これにより、防塵や防湿や飲み間違いを防止することができる。
【００１３】
好ましくは、前記カバーの後部には、留め部が設けられ、前記底蓋の後部には、機械錠前を設置するための機械錠前組立て部が設けられ、前記機械錠前は、該機械錠前に対応する鍵で伸縮制御される舌部を有し、前記舌部が伸びた場合には、前記舌部が前記留め部にロックする。これにより、カバーが不意に底蓋から抜かれることが抑制され、十分に飲み間違いを防止することができる。
【００１４】
好ましくは、前記管理系統は、中央処理制御系統及び、該中央処理制御系統に電気的に接続される電源管理系統と、曜日時間系統と、制御オペレーティング・システムと、原音録音系統と、標準音声系統と、オーディオ拡声出力系統と、ソフトウエア設置系統と、情報提示系統と、薬物管理系統のうち１つ又は２つ以上を含む。これにより各種の管理が可能となる。
【００１５】
本考案は、上記及びその他の目的の達成に採る技術手段、素子とその効果は、此処で好ましい実施例を持って図面に基づいて以下のように説明する。
【図面の簡単な説明】
【００１６】
【図１】本考案の立体図である。
【図２】本考案を分解的に示す模式図である。
【図３】本考案の底蓋と薬取り箱の間の関係を示す模式図である。
【図４】本考案の薬取り箱の近傍に薬取り箱払出機構及び薬取り箱検知機器が設けられたことを示す模式図である。
【図５】本考案の底蓋と薬取り箱払出機構と薬取り箱検知機器との間の関係を示す模式図である。
【図６】本考案の底蓋と中蓋の間の関係を示す模式図である。
【図７】本考案の中蓋に赤外線機器が設けられたことを示す模式図である。
【図８】本考案の中蓋と赤外線機器との間の関係を示す模式図である。
【図９】本考案の中蓋と薬入れ口制御モジュールとの間の関係を示す図である。
【図１０】本考案の薬入れ口制御モジュールが中蓋の薬入れ口を閉めた時の模式図である。
【図１１】本考案の薬入れ口制御モジュールが中蓋の薬入れ口を開けた時の模式図である。
【図１２】本考案の中蓋と、薬盤と、薬盤制御モジュールとの間の関係を示す模式図である。
【図１３】本考案の薬盤制御モジュールが中蓋に設けられた場合の示意図である。
【図１４】本考案の中蓋にローラーモジュールが設けられたことを示す模式図である。
【図１５】本考案の中蓋とローラーモジュールとの間の関係を示す模式図である。
【図１６】本考案の薬盤に提示パネルが設けられたことを示す模式図である。
【図１７】本考案の中蓋に乾燥剤収容部が設けられたことを示す模式図。
【図１８】本考案の底蓋とカバーとの間の関係を示す模式図である。
【図１９】本考案の底蓋とカバーの前部とが嵌合された時を示す模式図である。
【図２０】本考案の底蓋に機械錠前が設置され、それを利用してカバーをロックして固定することを示す模式図である。
【図２１】本考案の管理系統の方塊図である。
【図２２】本考案の底蓋と外部バッテリーの間の関係を示す模式図である。
【図２３】本考案の底蓋と外部直流電源やスピーカー等の素子との間の関係を示す模式図である。
【図２４】本考案の中蓋とディスプレーの間の関係を示す模式図である。
【考案を実施するための形態】
【００１７】
本考案は、十分に薬の自動投与や飲み間違い防止などを達成するという目的を達成するために、インテリジェント薬箱であって、上方に薬取り箱組立て部が設けられた底蓋と、薬取り箱組立て部に引き出し自在に収容された薬取り箱と、薬取り箱に対応して形成された薬入れ口を備え、底蓋上に設けられた中蓋と、中蓋の薬入れ口を開閉する薬入れ口制御モジュールと、薬をそれぞれ収容可能な複数の薬物収容コンパートメントを備え、中蓋に対して相対回転することにより薬物収容コンパートメントを中蓋の薬入れ口に位置合わせ可能な薬盤と、薬盤を回転させる薬盤制御モジュールと、中蓋及び薬盤を覆った状態で底蓋に取り付けられたカバーと、中蓋に設けられたプリント回路板と、プリント回路板に設けられ、薬入れ口制御モジュール及び薬盤制御モジュールに電気的に接続されて薬入れ口制御モジュール及び薬盤制御モジュールを制御する管理系統と、を備えていることにより実現した。
【実施例】
【００１８】
以下、本考案に係るインテリジェント薬箱１００について、図面に基づいて説明する。図１〜２に示すように、インテリジェント薬箱１００は、上方に薬取り箱組立て部１１が設けられた底蓋１と、薬取り箱組立て部１１に引き出し自在に収容された薬取り箱２と、薬取り箱２に対応して形成された薬入れ口３１を備え、底蓋１上に設けられた中蓋３と、薬入れ口３１を開閉する薬入れ口制御モジュール４と、薬をそれぞれ収容可能な複数の薬物収容コンパートメント５１を備え、中蓋３に対して相対回転することにより薬物収容コンパートメント５１を中蓋３の薬入れ口３１に位置合わせ可能な薬盤５と、薬盤５を回転させる薬盤制御モジュール６と、中蓋３及び薬盤５を覆った状態で底蓋１に取り付けられたカバー７と、中蓋３に設けられたプリント回路板８と、プリント回路板８に設けられ、薬入れ口制御モジュール４及び薬盤制御モジュール６に電気的に接続されて薬入れ口制御モジュール４及び薬盤制御モジュール６を制御する管理系統９と、を備えている。これにより、十分に薬の自動投与や飲み間違い防止等の目的を達し得る。詳しくは以下の説明の通りである。
【００１９】
図３は、底蓋１及び薬取り箱２を示す模式図である。図３のうち、反転後の薬取り箱２を点線で示している。図3に示すように、底蓋１に薬取り箱２とその他の部材を受けるための薬取り箱組立て部１１が設けられる。底蓋１の材質は、例えば食品レベル白色ＡＢＳ（アクリロニトリル−ブタジエン−スチロ-ル共重合体）である。
【００２０】
図１８に示すように、底蓋１の底部に幾つかのゴム足パッド貼付け部１０３が設けられると共にそれぞれにゴム足パッド１０４が貼り付けられる。ゴム足パッド１０４は滑り防止機能を有し、円型体に形成されているが、半円型体又はその他の形状であっても構わない。
【００２１】
薬取り箱２は、長方体であって頂部に薬物を受けるための開口２１を有し、且つ外へ引き出せるよう薬取り箱組立て部１１を備えている。これにより、患者が薬を容易に取り出すことができる。薬取り箱２の材質は、例えば食品レベル透明PC（ポリカーボネート）である。
【００２２】
薬取り箱２は、底部に凹部２２を有し、且つ底蓋１の薬取り箱組立て部１１に弾性凸状バックル部１２を備えている。これにより、薬取り箱２を薬取り箱組立て部１１の所定位置に収容すると、弾性凸状バックル部１２が凹部２２に嵌合して、薬取り箱２を容易に位置決めできると共に薬取り箱２が不意に底蓋１から外れることを抑制できる。
【００２３】
図４〜５に示すように、底蓋１の薬取り箱組立て部１１の側辺に薬取り箱払出機構１３をさらに設け、薬取り箱２を底蓋１から払い出させるように構成しても構わない。これにより、患者が薬取り箱２を容易に引き出すことができる。薬取り箱払出機構１３は、例えば公知のリターンスプリング機構である。薬取り箱払出機構１３は、初期状態で押されると薬取り箱２を払い出す機能と、再度押された場合に薬取り箱２を初期状態に戻す機能とを有している。薬取り箱払出機構１３は、管理系統９と電気的に接続されている電動型であってもよいし、プラスチック部材とバネとからなるものでも良い。プラスチック部材の材質としては、例えば食品レベル白色ＡＢＳである。バネの材質としては、例えばメッキバネ鋼である。
【００２４】
底蓋１上に薬取り箱検知機器１４が設けられても構わない。薬取り箱検知機器１４は、例えば、管理系統９と電気的に接続され、図示しないタッチスイッチとＰＣＢとからなる。薬取り箱検知機器１４は、薬取り箱２が正確に設置されるか否かの測定に用いられる。
【００２５】
図２に示すように、中蓋３は底蓋１に設けられ、その上に上下に貫通した薬入れ口３１を有し、中蓋３の薬入れ口３１が薬取り箱２に対応している。これにより、薬盤５の薬を薬取り箱２に落とすことができる。中蓋３の材質としては、例えば食品レベル白色ＡＢＳである。
【００２６】
図６に示すように、底蓋１に幾つかのスクリュー柱１５が設けられても構わない。また、中蓋３にもスクリュー柱１５に対応するスクリュー柱３２が設けられている。これにより、中蓋３に幾つかのスクリューを用いて底蓋１をロックして固定することができる。
【００２７】
図７〜８に示すように、中蓋３に少なくとも一つの赤外線機器組立て部３３を設け、中蓋３を貫通する検知用開口３４を設け、さらに赤外線機器３５を設置する。図７〜８では、二つの赤外線機器３５が設置している。赤外線機器３５は、例えば、図示しない赤外線チューブ及びＰＣＢからなる。これにより、検知用開口３４を介して薬盤５の状態を検知することが可能で、且つ薬盤５に対して回転又は停止に対応する信号を発することが可能である。
【００２８】
図２に示すように、薬入れ口制御モジュール４は、中蓋３に設けられており、中蓋３の薬入れ口３１を開けたり、閉めたりすることができる。これにより、薬物収容コンパートメント５１内の薬物を薬取り箱２に落下させる制御を容易に行うことができる。図９に示すように、中蓋３に薬入れ口制御モジュール組立て部３６が設けられて、薬入れ口制御モジュール４が設置される。薬入れ口制御モジュール４は、中蓋３の薬入れ口３１に対応して配置され、中蓋３の薬入れ口３１を開けたり閉めたりするための蓋開け板４１と、蓋開け板４１の一方の側辺に設けられ、前端を中蓋３に回転可能に設けられ、後端にモータ用挿入口４２１が形成された位置決め軸４２と、蓋開け板４１のモータ用挿入口４２１を挿通されて蓋開け板４１を回転させるモータ軸を有する蓋開けモータ４３と、蓋開けモータ４３と共に中蓋３に位置決められる蓋開けモータブラケット４４と、を備えている。薬入れ口制御モジュール４の材質は、例えば食品レベル白色ＡＢＳである。その他に、薬入れ口制御モジュール４には、蓋開け板４１の回転角度を制限する制限手段が設けられても構わない。これにより、蓋開けモータ４３の空転を回避することができる。
【００２９】
図９〜１０に示すように、蓋開け板４１は蓋開けモータ４３に駆動されて中蓋３の薬入れ口３１を閉めると、薬盤５の薬物が落下しない。
【００３０】
図１１に示すように、蓋開け板４１は蓋開けモータ４３に駆動されて、中蓋３の薬入れ口３１を開けると、薬入れ口３１に位置合せされた薬盤５の薬物収容コンパートメント５１内の薬物が薬取り箱２内に落下する。これにより、患者は容易に薬を取り出すことができる。
【００３１】
図２に示すように、薬盤５は回転可能に中蓋３に設けられ、患者が所定の時間に飲む薬物をそれぞれ収容する３０個の薬物収容コンパートメント５１を有している。薬盤５の回転により逐一に薬物収容コンパートメント５１を中蓋３の薬入れ口３１に位置合わせることができ、よって、異なる時間で異なる薬物収容コンパートメント５１における薬物が薬取り箱２に落下するようになっている。薬盤５の材質は、例えば食品レベル白色ＡＢＳである。
【００３２】
薬盤制御モジュール６は、薬盤５を中蓋３に対して相対的に回転させる。これにより、薬物収容コンパートメント５１を中蓋３の薬入れ口３１に位置合わせすることができる。
【００３３】
図１２〜１３に示すように、中蓋３の底部に、薬盤制御モジュール６を設置するための薬盤制御モジュール組立て部３７が設けられている。また、薬盤５の底部中心にはモータ支持柱５２が設けられており、これにより薬盤制御モジュール６と連動する。薬盤制御モジュール６は、モータ軸を有し、例えばスクリュー等の手段で中蓋３に設けられステッピングモータ６１と、モータ軸は中蓋３の頂部に突出した突出部６１１と、横方向にモータ軸の突出部６１１に挿入して設置されると共に薬盤５のモータ支持柱５２に係合されることで、ステッピングモータ６１に薬盤５を回転させる駆動軸６２とを含む。これにより、薬物収容コンパートメント５１を中蓋３の薬入れ口３１に位置合わせすることができる。
【００３４】
図２に示すように、中蓋３の頂面に薬盤５の回転用レールである環状の薬盤回転溝３８を設けて、薬盤５の底部に薬盤回転溝３８に嵌合する凸部を設けても構わない。
【００３５】
また、図１４〜１５に示すように、中蓋３の底部に幾つかのローラーモジュール組立て部３９を設けると共に中蓋３を貫通する貫穿口３９１を設けても構わない。これにより、ローラーモジュール５３を設置することができる。ローラーモジュール５３は、例えばスクリュー等の手段で中蓋３に固定される固定底蓋５３１と、ローラーモジュール組立て部３９上に設置される中心軸５３２と、回転可能に中心軸に設けられ、且つその頂部が中蓋３の貫通口３９１より突出しているローラー５３３とを含む。薬盤５が、中蓋３の薬盤回転溝３８に嵌合されると、薬盤５の底部が各々のローラーモジュール５３のローラー５３３に載置されるようになっている。これにより、薬盤５を支持すると共に薬盤５の回転を補助することができる。
【００３６】
図１６に示すように、薬盤５の頂部中央に提示パネル５５を設置するための提示パネル組立て部５４を設けても構わない。提示パネル５５は、円型状に形成されており、正面及び裏面に薬を飲む時間を示す図案及び文字が印刷されている。提示パネル５５の材質は、例えば白色ＰＶＣである。なお、薬盤５の提示パネル組立て部５４に二つ以上の提示パネル５５が設けられても構わない。
【００３７】
図１７に示すように、中蓋３に防湿のための乾燥剤を収容する乾燥剤収容部３０が設けられている。乾燥剤収容部３０には、乾燥剤カバー３０１が設けられている。乾燥剤カバー３０１は、正方形を呈している。乾燥剤カバー３０１は、複数の孔が形成されており、例えばスクリュー等の手段で中蓋３にロックして固定される。乾燥剤カバー３０１の材質は、例えば食品レベル白色ＡＢＳである。薬盤５の各々の薬物収容コンパートメント５１の底部中央にそれぞれ一つの通気口５１１を設けることにより、乾燥剤収容部３０と連通されて、薬物の防湿の目的を達し得る。
【００３８】
図１〜２に示すように、カバー７は底蓋１に設けられ、中蓋３と薬盤５とを覆うことで、防塵や防湿や薬の飲み間違いを防止することができる。カバー７の材質は、例えば透明で食品レベルのＰＣが採用されてよい。
【００３９】
図１８に示すように、カバー７の前部に第１の係止部７１が設けられると共に、底蓋１の前部に第２の係止部１６が設けられる。第１の係止部７１と第２の係止部７２とを係合させることにより、カバー７の前部と底蓋１の前部とが嵌合する。また、図１９に示すように、カバー７の後部に第３の係止部７２が設けられると共に、底蓋１の後部に弾性係止片１７が設けられる。カバー７の前部と底蓋１の前部とが嵌合すると、カバー７の後部を下向きに揺動させることによって、第３の係止部７２と弾性係止片１７とが嵌合する。このように、カバー７を用いることにより、防塵や防湿や薬の飲み間違いを防止することができる。
【００４０】
図２０に示すように、弾性係止片１７は患者にカバー７を取り扱いし易くするものである。そして、カバー７の後部にさらに留め部７３を設けると共に、底蓋１の後部に機械錠前組立て部１８を設ける。これにより、機械錠前１９を設けることができる。機械錠前１９は、伸縮可能な舌部１９１を有している。患者は機械錠前１９に対応する図示しない鍵で舌部１９１を機械錠前１９から伸長させた場合、舌部１９１はカバー７の留め部７３に引っ掛かってロックされる。これにより、カバー７が不意に底蓋１から外れることと十分に薬の飲み間違いを防止するという目的を達し得る。
【００４１】
図２に示すように、プリント回路板（ＰＣＢ、Ｐｒｉｎｔｅｄｃｉｒｃｕｉｔ ｂｏａｒｄ）８は中蓋３に設けられる。プリント回路基板８の材質は、例えばＦＲ４（ガラス布（Ｗｏｖｅｎ ｇｌａｓｓ）、エポキシ樹脂）である。
【００４２】
管理系統９は、プリント回路板８に設けられ、薬入れ口制御モジュール４及び薬盤制御モジュール６に電気的に接続されて薬入れ口制御モジュール４及び薬盤制御モジュール６を制御することができ、十分に薬の自動投与を行うという目的を達する。
【００４３】
図２１に示すように、管理系統９は、中央処理制御系統９０及び、中央処理制御系統９０と電気的に接続される電源管理系統９１と、曜日時間系統９２と、制御オペレーティング・システム９３と、原音録音系統９４と、標準音声系統９５と、オーディオ拡声出力系統９６と、ソフトウエア設置系統９７と、情報提示系統９８と、薬物管理系統９９等の系統のうち１つ又は２つ以上を更に含むものであっても構わない。
【００４４】
中央処理制御系統９０は、プリント回路板８に設けられており、電源管理系統９１と、曜日時間系統９２と、制御オペレーティング・システム９３と、原音録音系統９４と、標準音声系統９５と、オーディオ拡声出力系統９６と、ソフトウエア設置系統９７と、情報提示系統９８と、薬物管理系統９９の動作を整合することができる。中央処理制御系統９０は、その制御器としてＳＴＣ社製の制御チップＳＴＣ１５Ｗ４Ｋ３２を採用し並びにその制御チップの外部発振源として２４ＭＨＺの発振周波数を採用することができる。制御チップはＰＣ端末オンラインダウンロードプログラム制御機能を有している。
【００４５】
図２２に示すように、底蓋１の底部に外部バッテリー組立て部１０と電池カバー１０１とを設けられても構わない。電源管理系統９１の設置に供される。電池カバー１０１は例えばスクリュー等の手段で底蓋１にロックして固定される。電池カバー１０１の材質は、例えば食品レベル白色ＡＢＳである。
【００４６】
図２１〜２３に示すように、電源管理系統９１は、外部バッテリー９１１と、外部直流電源９１２と、図示しない内部電源管理回路とからなるものであり、給電に用いられる。
【００４７】
外部バッテリー９１１は、三つの単１型電池を直列接続したもの（動作電圧は４．５−３．３Ｖ）である。外部バッテリー９１１は、リチウム電池である。リチウム電池は、モノリシック電池セルを採用し、動作電圧を４．２−３．３Ｖとする。
【００４８】
外部直流電源９１２は、５Ｖの電源アダプタ又は標準なＵＳＢインターフェースから提供される標準な５Ｖの直流電源である。
【００４９】
内部電源管理回路は、給電順の管理に用いる事ができる。外部バッテリーと、外部直流電源とが同時に給電されると、外部直流電源からの給電を優先させる。内部電源管理回路には、リチウム電池の標準な定電流／定電圧充電管理回路と、３Ｖ電圧安定化管理回路と、３．３Ｖ電圧安定化管理回路と、３．３Ｖ低電圧測定管理回路及び／又は三極管とによる電子制御スイッチング回路と、を更に設けても構わない。
【００５０】
中央処理制御系統９０は、電源管理系統９１に対して電源電位差の分析を提供しても良い。これにより、動作電源の最適化を保持させる。
【００５１】
曜日時間系統９２は、プリント回路板８に設けられ、曜日情報、時間情報及び週間情報の提供に用いられる。例えば、ＤＳ１３０２カレンダーチップが用いられる。また外部振盪源として３２．７８６ＫＨｚが採用されてよい。なお、曜日時間系統は、ＤＳ１３０２カレンダーチップの予備電源として、ボタン電池をさらに設置しても構わない。
【００５２】
曜日時間系統９２は、薬物管理系統に対して薬を飲む時間情報を提供しても構わない。
【００５３】
中央処理制御系統９０は、曜日時間系統９２の曜日情報、時間情報、週間情報及び薬を飲む時間情報等を利用して、曜日時間系統９２に対して初期値を設定することができる。
【００５４】
制御オペレーティング・システム９３は、全ての動作の制御源としてプリント回路板８に設けられる。その制御ボタンとして、幾つかのタッチスイッチが採用されてよい。タッチスイッチとして、オン・オフ機能、設定用インターフェースに進入して設定用インターフェースでの設定を保存したり確認したりする機能と、カーソル移動機能と、数値調整機能と、投与機能及び薬用意機能とを含んでも構わない。
【００５５】
投与機能は、薬入れ口制御モジュール４を操作して薬入れ口３１を開けて、薬入れ口３１に対応した薬物収容コンパートメント５１の薬が薬取り箱２に落下する。その後、薬入れ口３１を閉める。
【００５６】
図１及び２１に示すように、制御オペレーティング・システム９３は、さらに投与ボタン９３１が設けられても構わない。これにより、患者が投与機能を操作することができる。
【００５７】
投与ボタン９３１は、プリント回路板８に設けられ、プリント回路板８におけるタッチスイッチを押すことで機能が実行される。投与ボタン９３１の材質は、例えば食品レベル透明ＰＣである。また、カバー７の前部に投与ボタン孔７４を有し、投与ボタン９３１をカバー７より突出させることで、患者が投与機能を操作することができる。
【００５８】
薬用意機能は、薬盤制御モジュール６を操作して薬盤制御モジュール６のステッピングモータ６１を回転させて薬盤６の回転を駆動する。これにより、薬盤６に位置する次の薬物収容コンパートメント５１を中蓋３の薬入れ口３１に位置合わせする。
【００５９】
中央処理制御系統９０は、制御オペレーティング・システム９３全ての制御端末を制御してその制御端末の動作状態を判断して、対応する系統の動作を行う。
【００６０】
原音録音系統９４は、プリント回路板８に設けられ、原音の録音、原音の再生に用いられる。繰り返し書き換え可能な録音チップを採用すると共にオーディオ入力ポートとしてコンデンサマイクを採用する。
【００６１】
原音録音系統９４は、薬物管理系統９９の音声指示出力として、録音された原音を供する事が出来る。
【００６２】
中央処理制御系統９０は、原音録音系統９４を制御して原音の録音及び格納を行わせることができ、原音録音系統９４を制御して録音された原音メッセージを再生させて指示音声情報出力とすることもできる。
【００６３】
標準音声系統９５は、プリント回路板８に設けられ、標準な音声の再生に用いられる。標準音声系統９５には、固定音声チップが採用されてよい。
【００６４】
標準音声系統９５は、薬物管理系統９９の音声指示出力として、標準な音声を提供して良い。
【００６５】
中央処理制御系統９０は、指示音声情報出力として、標準音声系統９５における音声を呼び出して使用してよい。
【００６６】
図２３に示すように、底蓋１にスピーカー組立て部１０２を設けても構わない。オーディオ拡声出力系統９６は、プリント回路板８に設けられ、音声の再生に用いられる。また、オーディオパワーを調節するための拡大チップが設けられ、オーディオ出力端末とするスピーカー９６１が設けられている。スピーカー９６１は底蓋１のスピーカー組立て部１０２に設けられている。
【００６７】
中央処理制御系統９０は、オーディオ拡声出力系統９６の音量の大きさを制御する事が出来る。
【００６８】
ソフトウエア設置系統９７は、プリント回路板８に設けられ、各パラメータの設定に用いられる。例えば、曜日時間系統９２に対して曜日や、時間や週間等のパラメータを設定し、原音録音系統９４に対して原音録音及び出力等のパラメータを設定し、標準言語系統９５に対して標準な音声出力のパラメータを設定し、オーディオ拡声出力系統９６に対して音量調節のパラメータを設定することに供する。
【００６９】
ソフトウエア設置系統９７は、幾つかの予定の言語インターフェース、例えば、簡体中国語、繁体中国語、英文及び日本語を有するのが好ましい。なお、使用ニーズに応じて、その他の種類の言語インターフェースを設定しても構わない。
【００７０】
ソフトウエア設置系統９７は、薬を飲む回数、薬を飲む時間及び薬を飲む日数等のパラメータを設定することができる。
【００７１】
中央処理制御系統９０は、ソフトウエア設置系統９７の変数の格納ユニットでありながらソフトウエア設置系統９７の変数を制御して実施する。
【００７２】
図２４に示すように、中蓋３に情報提示系統組立て部３０２が設けられている。情報提示系統９８は、プリント回路板８に設けられると共に情報提示系統組立て部３０２に係合され、各情報を表示するのに用いられる。ディスプレーと、バックライト板と、LED指示灯とが含まれる。また、中蓋３に薄膜パネル３０３を設けても構わない。薄膜パネル３０３は、主にディスプレーを保護すると共にスイッチ標識である。薄膜パネル３０３の材質は、例えばＰＶＣである。薄膜パネル３０３上には、上向き三角形の図案が付された上シフトボタンと、Ｍの図案が付された確定／退出ボタンと、下向き三角形の図案が付された下シフトボタンと、電源ボタンとの４つを有し、その底色として白色が採用されてよい。そこにも４つのオレンジ色ボタンが設けられる。さらに４つの貫通穴を有してよい。薄膜パネル３０３の片面に粘着性を持たせることにより、中蓋３に貼付することができる。
【００７３】
ディスプレーは、４６×２９ドットマトリクス型ディスプレーであっても構わない。各情報及び提示に用いることができ、例えば、電源管理系統９１の電量と、曜日時間系統９２の曜日、曜日の調節情報、時間、時間調節情報、週間及び週間調節情報と、制御オペレーティング・システム９３のビットシフト情報及び数値変更情報と、原音録音系統９４の原音録音情報及び原音再生情報と、標準音声系統９５の音声情報と、オーディオ拡声出力系統９６の音量調節情報と、ソフトウエア設置系統９７の言語選択及び応用情報と、薬物管理系統９９における、薬の飲み時間調節情報、「投与」及びそれと関する薬を飲む指示情報、「薬取り」及びそれに関連する図案の指示情報、「薬入れ直す」及びそれに関連する円型薬盤の図案の指示情報、並びに「リセット成功」、「投与エラー」、「停止動作」等の指示情報と、を表示する。このほか、薬物管理系統９９はディスプレーフラッシュさせたり、ＬＥＤ指示灯を点滅させたりすることができる。
【００７４】
中央処理制御系統９０は、情報提示系統に対し全ての提示情報を提供する。それは、ディスプレーに表示される全ての指示メッセージと、ＬＥＤ指示灯の指示メッセージとを含む。
【００７５】
薬物管理系統９９は、プリント回路板８に設けられ、薬物をコンピュータ制御で管理している。それは、手動で薬を入れることが必要である。ステッピングモータ６１を使用して薬盤５を回転させることができる。蓋開けモータ４３の使用により薬盤５の底蓋１がフリップされて薬を提供することができる。測定の基準として赤外線が採用されてよい。これにより、薬盤５の回転を制御することができる。また、自動で各系統の働きをリセットして起動させることができる。ボタンでリセットを制御すると共に薬盤をグリッド回転させて制御できる。ソフトウエア設置系統９７が供しているパラメータに基づいて薬物をコンピュータ制御で管理することができる。薬を飲む時間になると、ステッピングモータ６１の自動グリット回転が駆動して、ディスプレーに薬を飲みように図案や文字を表示させ、ＬＥＤ指示灯を点滅させて指示し、スクリーンバックライトで指示し、音声で指示を出力する。また、指示した後に、患者は投与ボタンを制御することで蓋開けモータ４３により薬入れ口３１が開けられて、薬物が薬取り箱２内に落下してからディスプレーに薬を取り出すように図案や文字が表示される。そしてＬＥＤ指示灯を点滅指示したり、スクリーンバックライトで指示したりする。薬取り箱検知機器により薬取りが行なわれて薬取り箱２が元の位置に戻されたかを測定可能である。その過程は指示灯で指示される。系統の動作は完成した後、ディスプレーに薬盤の図案と文字とを表示させる。ターンテーブルモータが回転できない場合、正反転セルフヘルプモードをスタートさせることができる。
【００７６】
知恵管理ステップは予備段階と知恵管理段階との２つに大別する。以下のように説明する。
【００７７】
予備段階は、１．手動で薬を入れることと、２．ソフトウエア設置系統で薬飲み回数と、薬飲み時間と、薬飲み日数とを設置することと、を含む。
【００７８】
予備段階が終了してから、知恵管理段階に入る。知恵管理段階は、予備段階に設定された薬飲み回数と、薬飲み時間と、薬飲み日数とに基づいて行われる。それは、（１）薬飲み時間になると、ディスプレーに薬を飲むように図案や文字を表示し、ＬＥＤ指示灯で点滅指示し、スクリーンバックライトで指示し、音声で指示出力させる。（２）患者は投与ボタンを押して、制御オペレーティング・システム９３に投与機能を行わせ、投与機能が終了した後、ディスプレーに薬を飲むことを図案又は文字にて示し、ＬＥＤ指示灯で点滅指示し、スクリーンバックライトに指示し、音声で指示出力させる。（３）薬取り箱２を引き出して、薬を取り出した後に、薬取り箱２を底蓋１内に戻させる。（４）薬取り箱２が所定位置に戻したことが検知された場合、自動で制御オペレーティング・システム９３を制御して薬用意機能を行わせ、次の薬を飲む時間を待つ。それにより十分に自動投与の目的を達し得る。
【００７９】
なお、本考案は、上記した変形例の構造以外にも本発明の精神を逸脱しない限り種々の改変を為すことができ、そして、本考案が該改変されたものに及ぶことは当然である。
【符号の説明】
【００８０】
１００  インテリジェント薬箱、１  底蓋、１０  外部バッテリー組立て部、１１  薬取り箱組立て部、１２  弾性凸状バックル部、１３  薬取り箱払出機構、１４  薬取り箱検知機器、１５  スクリュー柱、１６  第２の係止部、17  弾性係止片、１８  機械錠前組立て部、１９  機械錠前、１９１  舌部、１０１  電池カバー、１０２  スピーカー組立て部、１０３  ゴム足パッド貼付け部、１０４  ゴム足パッド、２  薬取り箱、２１  開口、２２  凹部、３  中蓋、３０  乾燥剤収容部、３０１  乾燥剤カバー、３０２  情報提示系統組立て部、３０３  薄膜パネル、３１  薬入れ口、３２  スクリュー柱、３３  赤外線機器組立て部、３４  検知用開口、３５  赤外線機器、３６  薬入れ口制御モジュール組立て部、３７  薬盤制御モジュール組立て部、３８  薬盤回転溝、３９  ローラーモジュール組立て部、３９１  貫穿口、４  薬入れ口制御モジュール、４１  蓋開け板、４２  位置決め軸、４２１  モータ用挿入口、４３  蓋開けモータ、４４  蓋開けモータブラケット、５  薬盤、５１  薬物収容コンパートメント、５２  モータ支持柱、５３  ローラーモジュール、５３１  固定底蓋、５３２  中心軸、５３３  ローラー、５４  提示パネル組立て部、５５  提示パネル、６  薬盤制御モジュール、６１  ステッピングモータ、６１１  突出部、６２  駆動軸、７  カバー、７１  第1の係止部、７２  第３の係止部、７３  留め部、７４  投与ボタン孔、８  プリント回路板、９  管理系統、９０  中央処理制御系統、９１  電源管理系統、９１１  外部バッテリー、９１２  外部直流電源、９２  曜日時間系統、９３  制御オペレーティング・システム、９３１  投与ボタン、９４  原音録音系統、９５  標準音声系統、９６  オーディオ拡声出力系統、９６１  スピーカー、９７  ソフトウエア設置系統、９８  情報提示系統、９９  薬物管理系統、５１１  通気口
【図１】
0003211769.tif 000003
【図２】
0003211769.tif 000004
【図３】
0003211769.tif 000005
【図４】
0003211769.tif 000006
【図５】
0003211769.tif 000007
【図６】
0003211769.tif 000008
【図７】
0003211769.tif 000009
【図８】
0003211769.tif 000010
【図９】
0003211769.tif 000011
【図１０】
0003211769.tif 000012
【図１１】
0003211769.tif 000013
【図１２】
0003211769.tif 000014
【図１３】
0003211769.tif 000015
【図１４】
0003211769.tif 000016
【図１５】
0003211769.tif 000017
【図１６】
0003211769.tif 000018
【図１７】
0003211769.tif 000019
【図１８】
0003211769.tif 000020
【図１９】
0003211769.tif 000021
【図２０】
0003211769.tif 000022
【図２１】
0003211769.tif 000023
【図２２】
0003211769.tif 000024
【図２３】
0003211769.tif 000025
【図２４】
0003211769.tif 000026